(57)【要約】【課題】  安全帯のフックの掛け間違いによる事故の発生を未然に防止することができる安全帯を提供することを目的とする。【解決手段】  安全帯は、作業者の腰に巻かれるベルトと、ベルトに一端側が接続されるロープと、ロープの他端側に接続され、鉤状の鉤状部と、鉤状部の開口を開閉する開閉部と、を備えるフックと、帯状体に設けられ、フックが内周に掛けられる掛け部と、フックおよび掛け部の一方に取り付けられる磁性体と、フックおよび掛け部の他方に取り付けられ、磁性体の磁気を感知する磁気感知部と、磁気感知部に接続し、警告音を発生させる警告装置とを備え、フックを掛け部に掛けると磁気感知部が磁性体の磁気を感知し、警告装置が警告音を発生または停止する。【選択図】      図１
2018130134.tif 000002
【特許請求の範囲】
【請求項１】
作業者の腰に巻かれるベルトと、
前記ベルトに一端側が接続するロープと、
前記ロープの他端側に接続し、鉤状の鉤状部と、前記鉤状部の開口を開閉する開閉部と、を有するフックと、
前記ベルトに設けられ、前記フックが内周に掛けられる掛け部と、
前記フックおよび前記掛け部の一方に取り付けられる磁性体と、
前記フックおよび前記掛け部の他方に取り付けられ、前記磁性体の磁気を感知する磁気感知部と、
前記磁気感知部に接続し、警告音を発生させる警告装置と、を備え、
前記フックを前記掛け部に掛けると前記磁気感知部が前記磁性体の磁気を感知し、前記警告装置が警告音を発生または停止することを特徴とする安全帯。
【請求項２】
前記磁性体は、磁石であって、前記フックの前記鉤状部と前記開閉部がなす内周の後縁周辺および前記掛け部の前側部分の一方の両側部にそれぞれ備えられ、
前記磁気感知部がその他方に備えられ、
一方の前記磁石は一方の極が前記磁石の取り付けられた前記フックまたは前記掛け部の前方側に向けられ、他方の前記磁石は他方の極が前記磁石の取り付けられた前記フックまたは前記掛け部の前方側に向けられていることを特徴とする請求項１記載の安全帯。
【請求項３】
前記磁石は、その先端部を除き磁気シールド部材で覆われていることを特徴とする請求項２記載の安全帯。
【請求項４】
前記フックおよび前記掛け部の両方または一方が、溝部または内部空間を有し、
前記磁性体および前記磁気感知部の両方または一方が、前記溝部または前記内部空間に備えられることを特徴とする請求項１，２または３記載の安全帯。
【請求項５】
複数の前記磁気感知部が掛け部の内部空間に備えられ、
複数の前記磁気感知部が直列に接続または直列に接続する複数の前記磁気感知部が並列に接続するとともに、個々の前記磁気感知部が前記警告装置に接続し、個々の前記磁気感知部が前記磁性体の磁気を感知することにより、前記警告装置が警告音を発生または停止することを特徴とする請求項４記載の安全帯。
【発明の詳細な説明】
【技術分野】
【０００１】
本発明は、安全帯に関する。
【背景技術】
【０００２】
電柱などの高所で作業者が作業を行う場合、図１０に示すように、作業者Ｗは、安全帯１００を着用し、安全帯１００から延びるロープ１０２を電柱１２０に回し掛け、ロープ１０２の先端に取り付けられたフック１０４を安全帯１００に取り付けられた環状部材１０６に掛けて作業を行う。
ところが、安全帯１００を着用した作業者Ｗが、安全帯１００のフック１０４を誤って安全帯１００に取り付けられた工具袋１０８などに掛けてしまい、工具袋１０８などがちぎれてフック１０４が外れることにより、高所から落下し、死亡・重傷等に至ることがある。
【０００３】
特許文献１には、衝撃緩衝体と、落下検知体と、警報器と、を備え、衝撃緩衝体および落下検知体により作業者の落下を検知し、警報機により作業者の落下を周りに知らせる安全帯が開示されている。
しかしながら、この作業体では、作業者の落下を未然に防止することはできない。
【先行技術文献】
【特許文献】
【０００４】
【特許文献１】特開２０１３−１１１０９９号公報
【発明の概要】
【発明が解決しようとする課題】
【０００５】
本発明は、安全帯のフックの掛け間違いによる事故の発生を未然に防止することができる安全帯を提供することを目的とする。
【課題を解決するための手段】
【０００６】
安全帯は、作業者の腰に巻かれるベルトと、ベルトに一端側が接続するロープと、ロープの他端側に接続し、鉤状の鉤状部と、鉤状部の開口を開閉する開閉部と、を有するフックと、ベルトに設けられ、フックが内周に掛けられる掛け部と、フックおよび掛け部の一方に取り付けられる磁性体と、フックおよび掛け部の他方に取り付けられ、磁性体の磁気を感知する磁気感知部と、磁気感知部に接続し、警告音を発生させる警告装置とを備え、フックを掛け部に掛けると磁気感知部が磁性体の磁気を感知し、警告装置が警告音を発生または停止する。
【０００７】
また、磁性体は、磁石であって、フックの鉤状部と開閉部がなす内周の後縁周辺および掛け部の前側部分の一方の両側部にそれぞれ備えられ、磁気感知部がその他方に備えられ、一方の磁石は一方の極が磁石の取り付けられたフックまたは掛け部の前方側に向けられ、他方の磁石は他方の極が磁石の取り付けられたフックまたは掛け部の前方側に向けられているものであってもよい。
【０００８】
この場合、磁石は、その先端部を除き磁気シールド部材で覆われるものであってもよい。
【０００９】
また、安全帯は、フックおよび掛け部の両方または一方が、溝部または内部空間を有し、磁性体および磁気感知部の両方または一方が、溝部または内部空間に備えられるものであってもよい。
【００１０】
また、安全帯は、複数の磁気感知部が掛け部の内部空間に備えられ、複数の磁気感知部が直列に接続または直列に接続する複数の磁気感知部が並列に接続するとともに、個々の磁気感知部が警告装置に接続し、個々の磁気感知部が磁性体の磁気を感知することにより、警告装置が警告音を発生または停止するものであってもよい。
【発明の効果】
【００１１】
安全帯は、フックが掛け部に掛けられたことの有無を作業者およびその周りにいる者に確実に認識させることができるので、フックの掛け間違いによる事故の発生を防止することができる。
【図面の簡単な説明】
【００１２】
【図１】実施形態の安全帯を示す側面図である。
【図２】フック周辺を拡大して示す側面図である。
【図３】図２においてフックの開口部が開いた状態を示す側面図である。
【図４】磁性体、磁気感知部および警告装置の関係を示し、磁性体が備えられるフックが図２のＩＶ−ＩＶ線断面図として表された模式図である。
【図５】図４において、フックが掛け部に掛けられた状態を示す模式図である。
【図６】磁性体が磁気シールド部材で覆われたフックを示す断面図である。
【図７】図４のＶＩＩ−ＶＩＩ線断面図である。
【図８】磁気感知部と警告装置の電気的関係を示す回路図である。
【図９】磁気感知部と警告装置の電気的関係の一例を示す回路図である。
【図１０】従来の安全帯の使用状況を示す図である。
【発明を実施するための形態】
【００１３】
以下、実施形態の安全帯について説明する。図１は、実施形態の安全帯を示す。安全帯は、主に、ベルト１０と、ロープ２０と、フック３０と、掛け部４０と、磁性体５０と、磁気感知部６０と、警告装置７０と、を備えている。
以下の説明において、便宜上、ベルト１０の長手方向およびロープ２０の長手方向を、前後（先後）方向とする。また、後述するベルト本体１２の面に直交する方向を左右方向とし、ベルト１０の長手方向に鉛直に直交する方向を上下方向とする。
【００１４】
ベルト１０は、作業者の腰に巻かれるものであり、帯状体１６と、ベルト本体１２と、バックル１４とを備えている。帯状体１６は、帯状のものであって柔軟性を有するものであり、ベルト本体１２を通すためのベルトループ１８を備えている。ベルト本体１２は、帯状体より幅狭の帯状のものであって、柔軟性を有するものであり、帯状体１６のベルトループ１８に通されている。帯状体１６およびベルト本体１２は、合成繊維などにより形成されている。バックル１４は、金属製であり、ベルト本体１２の一端に取り付けられている。バックル１４は、バックル１４に他端側が通されるベルト本体１２を固定する。ベルト１０は、作業者の腰に帯状体１６をあてがい、バックル１４にベルト本体１２の他端側を通してバックル１４で固定することにより装着される。
【００１５】
ロープ２０は、その一端側が取付部２２によりベルト本体１２に取り付けられている。ロープ２０は、合成繊維などにより形成されている。
【００１６】
フック３０は、掛け部４０に掛けて使用するものであり、ロープ２０の先端に取り付けられている。フック３０は、金属製であり、図２に示すように、鉤状部３２と、開閉部３４と、を備えている。鉤状部３２は、鉤状であり、その後端（基端）がロープ２０の先端に取り付けられている。開閉部３４は、鉤状部３２の開口を開閉するため軸部３６により鉤状部３２に回転可能に支持されている。フック３０は、鉤状部３２の開口を開閉部３４で閉じた状態では、鉤状部３２と開閉部３４とにより、内周が閉じた状態となる。フック３０は、図３に示すように、開閉部３４を鉤状部３２の内側に回動させることにより開口が開くようになっている。また、開閉部３４は、ばねなどの弾性部材（図示略）により鉤状部３２の開口を閉じる方向に力が作用するため、常に開口を閉じる方向に回動する。
【００１７】
掛け部４０は、金属で形成されており、掛け部本体４２と、ベルト通し部４４と、を備えている。掛け部４０は、掛け部本体４２とベルト通し部４４の間の開口にベルト本体１２が通されてベルト１０に取り付けられている。掛け部本体４２は、図４、図５および図７に示すように、環状の管体であり、その内部に内部空間を有している。掛け部４０の方向に関しては、掛け部本体４２側が前側となり、ベルト通し部４４側が後側となる。
【００１８】
磁性体は、フック３０および掛け部４０の一方に取り付けられ、磁気感知部はその他方に取り付けられている。本実施形態では、図４および図５に示すように、フック３０に磁性体が取り付けられ、掛け部４０に磁気感知部が取り付けられている。また、ベルト本体１２には、警告装置７０が取り付けられている。
磁性体、磁気感知部および警告装置７０は、フック３０を掛け部４０に掛けた際に、磁気感知部が磁性体の磁気を感知し、警告装置７０が警告音を発生または発生した警告音を停止することにより、フック３０が掛け部４０に掛けられたことの有無を、安全帯を着用している作業者およびその周りにいる者に知らせる。
【００１９】
磁性体は、ネオジム磁石等の磁石５０であって、図４および図５に示すように、フック３０の内周のうち後縁付近において開閉部３４の両側面に取り付けられている。一方の磁石５０は、Ｎ極５４およびＳ極５６の一方の極がフック３０の前方側に向けられ、他方の磁石５０は、Ｎ極５４およびＳ極５６の他方の極がフック３０の前方側に向けられている。このようにすると、一方の磁石５０から他方の磁石５０に向かう磁束Ｍ、すなわちフック３０の内部空間を左右方向から貫く磁束Ｍが生じるため、フック３０を前方に移動させて掛け部４０に掛けると、後述する掛け部４０の前側の部分に備えられる磁気感知部が精度よく磁石５０の磁気を感知するようになる。
【００２０】
磁石５０は、図６に示すように、先端部を除き、磁気を通さない磁気シールド部材５２で覆われることが好ましい。このようにすると、磁石５０の上下側、側方側および後側に磁界が生じないので、例えばフック３０の側面が掛け部４０に近付いても磁気感知部が磁気を感知しないので、フック３０が掛け部４０にかかっていないにもかかわらず磁気感知部が磁気を感知することを防止することができる。なお、ここでの先端部とは、先端面または先端面とその周辺を意味する。
【００２１】
磁気感知部は、磁性体の磁気を感知するものであり、図４、図５および図７に示すように、掛け部本体４２の内部空間に備えられている。また、磁気感知部は、警告装置７０の回路と接続ライン７２ａ，７２ｂによりに電気的に接続している。磁気感知部は、フック３０が掛け部４０に掛けられた際、磁性体の磁気を確実に感知するようにするため、掛け部本体４２（掛け部４０）に複数備えられることが好ましい。磁気感知部を掛け部４０に複数備える場合には、複数の磁気感知部が直列に接続または直列に接続した複数の磁気感知部が並列に接続し、個々の磁気感知部が警告装置７０に接続するようにすることが好ましい。具体的には、直列に接続した複数の磁気感知部または直列に接続した複数の磁気感知部が並列に接続したものが、警告装置７０の回路から延びる２本の接続ライン７２ａ，７２ｂに接続し、かつ、直列に接続した磁気感知部の間からの分岐が２本の接続ライン７２ａ，７２ｂのいずれかに接続することにより、個々の磁気感知部の両端が警告装置７０から延びる２本の接続ライン７２ａ，７２ｂに接続している。本実施形態では、磁気感知部として、リードスイッチ６０が用いられており、図８に示すように、直列に接続した３つのリードスイッチ６０の対が並列に接続しており、個々のリードスイッチ６０の両端が警告装置７０の２本の接続ライン７２ａ，７２ｂに接続している。このように接続すると、図９に示すような個々の磁気感知部を並列的に接続する場合に比べ、配線の数を減らすことができる。その結果、掛け部本体４２の内部空間のうち横断面のスケールを抑えることができ、掛け部本体４２の肉厚を確保できるので、内部空間を設けることによる掛け部本体４２（掛け部４０）の強度の低下を防ぐことができる。
【００２２】
警告装置７０は、警告音を発生するものであり、図１に示すようにベルト本体１２に取り付けられている。警告装置７０は、電池等などからなる電源と、電源スイッチと、ランプと、スピーカとを備えている。また、警告装置７０は、図４、図５、図８および図９に示すように、磁気感知部と接続ライン７２ａ，７２ｂにより電気的に接続している。警告装置７０は、磁気感知部が磁気を感知すると、スピーカから警告音を発生し、または発生した警告音を停止する。本実施形態では、警告装置７０は、電源を入れるとスピーカから警告音を発生させ、フック３０を掛け部４０に掛けて磁気感知部が磁性体の磁気を感知すると警告音を停止させる。また、警告装置７０は、電源の電圧が所定の電圧以下になるとランプが点灯し、電源の交換を知らせる。
【００２３】
安全帯は、磁気感知部を掛け部本体４２の内部空間に備える代わりに、掛け部本体４２（掛け部４０）の前側において周方向に沿って設けられる溝部内に備えるものであってもよい。また、安全帯は、磁性体が掛け部本体４２（掛け部４０）の前側の部分に備えられ、磁気感知部がフック３０のうちその内周の後縁付近に設けられる内部空間や溝部に備えられるものであってもよい。フック３０および掛け部４０のうち磁気感知部が備えられる方は、磁気感知部が磁性体の磁気を感知するようにするため、磁気を通す金属で形成する。
【００２４】
安全帯の使用方法については、電柱での作業を例に説明する。安全帯は、作業者の腰にベルト本体１２を巻き付けて使用する。そして、フック３０を掛け部４０に掛ける前に、あらかじめ警告装置７０の電源を入れおき、警告装置７０から警告音を発生させる。作業者は、作業を行う際、ロープ２０を電柱に掛け、フック３０を掛け部４０（掛け部本体４２）に掛ける。フック３０が掛け部４０に掛けられた場合には、磁気感知部が磁性体の磁気を感知し、警告装置７０の警告音が停止する。フック３０が、誤って工具袋などに掛けられ、掛け部４０に掛けられていない場合には、磁気感知部が磁性体の磁気を感知せず、警告装置７０の警告音が停止しないので、安全帯を着用した作業者自身およびその周りにいる者はフック３０が掛け部４０に取り付けられていないことを認識し、危険を回避することができる。
【００２５】
上記安全帯は、フック３０が掛け部４０に掛けられたことの有無を作業者およびその周りにいる者に確実に認識させることができるので、フック３０の掛け間違いによる事故の発生を防止することができる。
【００２６】
安全帯は、磁気感知部をフック３０または掛け部４０に設けられる内部空間または溝部に備えることにより、フック３０または掛け部４０が磁気感知部に接触しないので、磁気感知部の破損を防止することができる。なお、磁性体をフック３０または掛け部４０に設けられる内部空間または溝部に備える場合も同様である。
【００２７】
安全帯は、磁性体を磁石５０とし、これをフック３０の鉤状部３２と開閉部３４がなす内周の後縁周辺および掛け部４０の前側の一方の両側部にそれぞれ備え、磁気感知部をその他方に備え、一方の磁石５０が一方の極を磁石５０の取り付けられたフック３０または掛け部４０の前方側に向け、他方の磁石５０が他方の極を磁石５０の取り付けられたフック３０または掛け部４０の前方側に向けることにより、フック３０を前方に移動させて掛け部４０に掛けると、後述する掛け部４０の前側の部分に備えられる磁気感知部が精度よく磁石５０の磁気を感知するようになる。その結果、安全帯を着用した作業者自身およびその周りにいる者はフック３０が掛け部４０に掛けられたことの有無をより正確に認識することができる。
【００２８】
安全帯は、磁性体としての磁石５０を、その先端部を除き、磁気を通さない磁気シールド部材５２で覆うことにより、磁石５０の上下側、側方側および後側に磁界が生じなくなるので、例えばフック３０の側面や後部が掛け部４０に近付いても磁気感知部が磁気を感知しないので、フック３０が掛け部４０にかかっていないにもかかわらずフック３０が掛け部４０に近付いただけで磁気感知部が磁気を感知するという誤感知を防止することができる。
【００２９】
安全帯は、磁気感知部を複数備えることにより、磁気感知部が近づいてきた磁性体の磁気を確実に感知できるので、安全帯を着用した作業者自身またはその周りにいる者はフック３０が掛け部４０に掛けられたことの有無をより一層正確に把握することができる。また、磁気感知部を掛け部４０に複数備える場合に、複数の磁気感知部が直列に接続または直列に接続した複数の磁気感知部が並列に接続し、個々の磁気感知部が警告装置７０に接続するようにすることにより、個々の磁気感知部を並列的に接続する場合に比べ、配線の数を減らすことができる。その結果、掛け部４０の内部空間のうち横断面のスケールを抑えることができ、掛け部の肉厚を確保できるので、内部空間を設けることによる掛け部４０の強度の低下を防ぐことができる。
【００３０】
本発明の安全帯は、上記実施形態に特に限定されるものではなく、本発明の要旨の範囲内において適宜変更することができる。
【符号の説明】
【００３１】
１０    ベルト
１２    ベルト本体
１４    バックル
１６    帯状体
１８    ベルトループ
２０    ロープ
２２    取付部
３０    フック
３２    鉤状部
３４    開閉部
３６    軸部
４０    掛け部
４２    掛け部本体
４４    ベルト通し部
５０    磁石（磁性体）
５２    磁気シールド部材
５４    Ｎ極
５６    Ｓ極
６０    リードスイッチ（磁気感知部）
７０    警告装置
７２ａ，７２ｂ    接続ライン
１００    安全帯
１０２    ロープ
１０４    フック
１０６    環状部材
１０８    工具袋
１２０    電柱
Ｍ    磁束
Ｗ    作業者
【図１】
2018130134.tif 000003
【図２】
2018130134.tif 000004
【図３】
2018130134.tif 000005
【図４】
2018130134.tif 000006
【図５】
2018130134.tif 000007
【図６】
2018130134.tif 000008
【図７】
2018130134.tif 000009
【図８】
2018130134.tif 000010
【図９】
2018130134.tif 000011
【図１０】
2018130134.tif 000012